(57)【要約】【課題】  環境試験における試験準備等の試験実施時以外における空調を、専用の空調用機器を導入することなく、しかも電力消費量の大なる試験用空調器も駆動させずに行うことができ、設備コストおよびランニングコストの低減を図ることのできる環境試験装置を提供する。【解決手段】供試体が収容される試験室６に、吸入ダクト９と送風ダクト５を介して接続された主空調器１を備え、前記吸入ダクト９の途中に、除湿器１０からの乾燥空気が供給されるように構成された環境試験装置において、前記除湿器を、プレクーラー付乾式除湿器で構成し、所要の空気条件で行われる本試験以外の状態においては前記主空調器１の冷却運転と、前記除湿器における除湿運転が行われず、前記除湿器のプレクーラー１３から供給される冷気によって前記試験室内の空調を行うように構成した。【選択図】  図１
2006343238.tif 000002
【特許請求の範囲】
【請求項１】
供試体が収容される試験室に、吸入ダクトと送風ダクトを介して接続された主空調器を備え、前記吸入ダクトの途中に、除湿器からの乾燥空気が供給されるように構成された環境試験装置において、前記除湿器を、プレクーラー付乾式除湿器で構成し、所要の空気条件で行われる本試験以外の状態においては前記主空調器の冷却運転と、前記除湿器における除湿運転が行われず、前記除湿器のプレクーラーから供給される冷気によって前記試験室内の空調を行うように構成してなる環境試験装置。
【請求項２】
前記除湿器は、導入空気を外気とする請求項１に記載の環境試験装置。
【請求項３】
前記除湿器は、導入空気を試験室からの還気とする請求項１に記載の環境試験装置。
【発明の詳細な説明】
【技術分野】
【０００１】
本発明は、自動車や住宅等の各種製品に対し、種々の温度、湿度等の条件化において耐久性等の各種性能試験を行うための環境試験装置に関する。
【背景技術】
【０００２】
環境試験装置は、自動車等の自走車、住宅等の建築・土木構造物、ＯＡ機器等の電子機器、厨房設備等の水周り什器など、各種の製品に対して、様々な環境条件における種々の試験を行うのに利用され、製品の信頼性の向上のための研究開発に重要な設備として位置付けられている。
【０００３】
上述のような環境試験装置では、供試体を収容する試験室内を所要の温度条件に正確に設定、維持できなければならず、試験室の温度調節には大型の空調器が用いられる（例えば、特許文献１、２参照）。
【０００４】
ところで、環境試験を行う際には、供試体を試験室内に収容する前後においても供試体の設置や撤去、試験前における各種のチェックや打ち合わせ等の種々の作業が行われ、この際にも試験室内の空調、主として冷房を要する。
【０００５】
試験室の空調は、前記試験用の空調器を利用することもできるが、環境試験用の空調器は規模の大なるものであるから、この空調器を運転すると過大な電力消費がなされ、無駄が多い。
【０００６】
そこで従来は、試験室に前記試験用の空調器とは別にパッケージエアコン等の小型の空調装置を設け、試験室において試験以外の各種作業時の空調を行っていたが、小型の空調装置という新たな装置を別途導入する必要があり、設備コストの上昇を招くという問題がある。
【０００７】
ところで、従来の環境試験装置には、試験室内の湿度をも正確に制御することを目的として除湿器を備えるものがあるが、この除湿器は除湿のためにしか利用されていないのが現状である。
【特許文献１】特開平９−２６９２８１号公報（第１〜３頁、図１〜３）
【特許文献２】特開２０００−６５６９０号公報（第１〜１頁、図１）
【発明の開示】
【発明が解決しようとする課題】
【０００８】
本発明は、環境試験における試験準備等の試験実施時以外における空調を、専用の空調用機器を導入することなく、しかも電力消費量の大なる試験用空調器も駆動させずに行うことができ、設備コストおよびランニングコストの低減を図ることのできる環境試験装置を提供することを目的としている。
【課題を解決するための手段】
【０００９】
上記課題を解決するために、本発明に係る環境試験装置は、供試体が収容される試験室に、吸入ダクトと送風ダクトを介して接続された主空調器を備え、前記吸入ダクトの途中に、除湿器からの乾燥空気が供給されるように構成された環境試験装置において、前記除湿器を、プレクーラー付乾式除湿器で構成し、所要の空気条件で行われる本試験以外の状態においては前記主空調器の冷却運転と、前記除湿器における除湿運転が行われず、前記除湿器のプレクーラーから供給される冷気によって前記試験室内の空調を行うように構成したものとしてあり、前記除湿器は、導入空気を外気または試験室からの還気とする構成のものとしてある。
【発明の効果】
【００１０】
本発明によれば、除湿器にプレクーラー付のものを使用し、環境試験の実施時以外はこの除湿器のプレクーラーを試験室内の冷房に使用することができるので、別途パッケージエアコン等の試験室用空調装置を導入しなくても、試験用の主空調器の駆動を必要最小限に留めることができ、したがって設備コストおよびランニングコストの低減を期すことのできる環境試験装置を実現することができる。
【発明を実施するための最良の形態】
【００１１】
以下、本発明に係る環境試験装置の実施例を添付図面に示す具体例に基づいて詳細に説明する。
主空調器１は、ケーシング２内に外部の大型冷凍機から冷媒が供給される熱交換器３と、送風機４を備え、送出口２ｂに一端が接続された送風ダクト５の他端が環境試験室６の送気口７に接続され、また環境試験室６の吸気口８に一端が接続された吸入ダクト９の他端が、主空調器１の吸入口２ａに接続されている。
【００１２】
前記吸入ダクト９の途中には、除湿器１０からの送気管１１が接続されており、除湿器１０は外気を導入して除湿を行い、上記送気管１１から吸入ダクト９に乾燥空気を送出する構成となっている。
【００１３】
具体的には、前記除湿器１０は吸入口１２ａと送出口１２ｂを有するケーシング１２内に、吸入口側から順にプレクーラー１３、除湿ロータ１４、送風機１５を備えており、前記プレクーラー１３には冷凍機１６からの冷媒が供給される構成となっている。
【００１４】
しかして、上述のように構成した本発明の装置においては、環境試験室に供試体が収容され、所要の環境条件下での試験が行われる際には、前記主空調器１および除湿器１０の双方が必要に応じて駆動されて試験が行われる。
【００１５】
そして、環境試験の準備等の実際の試験を行っていない場合には、主空調器１の駆動を停止し、また除湿器１０における除湿機能も停止し、プレクーラー１３による冷却および送風機１５による吸入ダクト９への冷却空気の供給だけが行われる。
【００１６】
より詳しくは、除湿器１０における除湿ロータ１４における再熱を行わず、除湿ロータではプレクーラーからの冷却空気をそのまま通過させる。
この際、プレクーラー１３では一般的に５〜１０℃程度の冷却空気が供給されるので、試験室の冷房には十分事が足りる。
【００１７】
なお、前記除湿器１０からの冷気は、前記吸入ダクト９に送出されてから環境試験室の吸気口８を経て試験室内に供給されるが、送風量が不足するなど必要に応じては主空調器１の送風機４を駆動せしめて、環境試験室の送気口７から冷気を供給する場合もある。
【００１８】
上述した実施例のものでは、前記除湿器１０を外気導入タイプのものとしてあるが、図２に示すもののように、除湿器１０の吸入口１２ａに一端が接続された吸気管１７の他端を吸入ダクト９における前記送気管１１よりも上流側に接続し、試験室からの還気を除湿用空気として利用する場合もある。
なお、前記吸気管１７の他端を、直接試験室に接続する場合もある。
【図面の簡単な説明】
【００１９】
【図１】本発明に係る環境試験装置の実施例を示す構成図。
【図２】本発明に係る環境試験装置の他の実施例を示す構成図。
【符号の説明】
【００２０】
１  主空調器
２  ケーシング
３  熱交換器
４  送風機
５  送風ダクト
６  環境試験室
７  送気口
８  吸気口
９  吸入ダクト
１０  除湿器
１１  送気管
１２  ケーシング
１３  プレクーラー
１４  除湿ロータ
１５  送風機
１６  冷凍機
１７  吸気管
【図１】
2006343238.tif 000003
【図２】
2006343238.tif 000004